(57)【特許請求の範囲】
【請求項１】
上着の前身頃１下方に左右一対の穴７を設け、前身頃１に設けた穴７に乳幼児の足を入れ、乳幼児を収容する前身頃延長部１４を折り返して、乳幼児を抱っこ時乳幼児の体重で前身頃１が下がるのを防止するため、後身頃２の下方位置に、両端に互いに連結可能な連結金具１０Ａ、１０Ｂを有する腰部分補強ベルト４を横一文字に配置し、
乳幼児の体重を保持するため、後身頃２の下方位置の腰部に設けた腰部分補強ベルト４から前身頃１または後身頃２の肩部２３と前身頃延長部１４の最下端縁２４に垂直補強ベルト６を設け、後身頃２の腰部補強ベルト４の両端に設けた一対の連結金具１０Ａ、１０Ｂを前方で連結すると共に前身頃延長部の最下端縁２４に設けたＤ管金具１２と上着の肩部２３に設けた肩用Ｄ管金具１１を付属の抱っこ用補助ベルト１５で固定することにより乳幼児の体重を保持し
後身頃の脇部に横一文字に袖ぐり部分補強ベルト３を設け、袖ぐり部分補強ベルト３の両端に一対の連結金具８Ａ、８Ｂを取り付け、前身頃延長部１４の最下端縁２４に設けた前身頃裾補強ベルト５の両端に、後身頃脇部の袖ぐり部分補強ベルト３の両端に設けた連結金具のもう片方の連結金具９Ａ、９Ｂを取り付け、脇部で連結金具８Ａと連結金具９Ａ、連結金具８Ｂと連結金具９Ｂを連結することで、乳幼児の落下防止ができることを特徴とする抱っこ用上着。
【発明の詳細な説明】
【技術分野】
【０００１】
本発明は乳幼児を抱っこしたりおんぶしたりするベストやカーディガンなどの抱っこ用上着に関するものである。
【背景技術】
【０００２】
乳幼児を抱っこしたりおんぶしたりする際、乳幼児を覆って着用する抱っこ用上着が種々提案されている。
【０００３】
例えば、特許文献１記載のようにコート本体の後身頃が中心部において左右の後身頃半体に分離可能とされているとともに、前身頃が中心部において左右の前身頃半体に分離可能とされ、分離した左右の後身頃半体または前身頃半体の間に被覆用補助布を装着することにより後身頃の身幅または前身頃の身幅を拡大し、着用者が背負いまたは前抱きした乳幼児を覆って着用する子守用コートが提案されている。
【０００４】
また、特許文献２記載のように親が、大人服を着用し、子供キャリアにより赤ちゃんを横抱きに抱っこした状態においては、大人服に設けられた上部接続具のメス型バックルに、子供キャリアのオス型バックルが連結され、大人服に設けられた下部接続具のリング状バックルに子供キャリアのクリップが係合して着脱自在に取り付ける構成により、装着時において、外観の印象が通常の衣服を着ている状態と変わりない、子守帯としての機能を有する大人服が提案されている。
【０００５】
【特許文献１】特開平１０−１３０９１４号公報
【特許文献２】再公表ＷＯ２００３／０８２０３４号公報
【発明の開示】
【発明が解決しようとする課題】
【０００６】
しかし、特許文献１で提案の子守用コートは抱っこした乳幼児を寒さから守るコートであるが、首の座らない６ヶ月位までの乳児は横抱っこが好ましいにも関わらず横抱っこには不向きであり、特許文献２で提案の大人服は子供キャリアを着脱自在に取り付ける構成であるので、子供キャリアの不使用時は荷物になるなどの問題がある。
【０００７】
本発明は上記のように着用者が身体からはずして外出などするとカバンに入れたり手に持ったりして荷物になるなどの不便さを解消し、通常の上着としても乳幼児を抱っこしたりおんぶしたりする上着としても利用できる抱っこ用上着を提供することを目的とする。
【課題を解決するための手段】
【０００８】
前身頃と後身頃からなる上着において、前身頃の下方位置で後身頃の下端縁よりも延出させた延長部を形成し、前身頃下端縁の上方に乳幼児の足を入れる一対の穴を形成し、前身頃の下端縁より延出させた延長部の最下端縁を折り返して袋状に保持する保持手段を備えたことを特徴とする。
【０００９】
前記前身頃の最下端縁を折り返して延長部を形成した両側の開口端を開閉自在としたことを特徴とする。
【００１０】
前記保持する手段が前身頃延長部の最下端縁と前身頃または後身頃の肩部とを２本の
補助ベルトで着脱可能に結合することを特徴とする。
【００１１】
前記保持する手段が前身頃延長部の最下端縁に設けた一対のＤ管金具と前身頃または後身頃の肩部に設けたそれぞれ一対の肩用Ｄ管金具とを２本の抱っこ用補助ベルトのそれぞれの引掛け金具で連結する構成としたことを特徴とする。
【００１２】
前記前身頃と後身頃とを肩部で連結し、前身頃の下端縁と後身頃下端縁とを前後に分離させて前身頃または後身頃の肩部に肩用Ｄ管金具を設け、前記前身頃と後身頃とをその両脇に設けたファスナーにて接離可能にした前身頃と後身頃からなる上着において、後身頃の下方位置で両端に連結可能な一対の連結金具を有する腰部補強ベルトを横一文字に配置させ、かつ両端に一対の連結金具を有する袖ぐり部補強ベルトを腰部補強ベルトよりも上方位置に横一文字に配置させ、この腰部補強ベルトに一端部を固着した垂直補強ベルトの他端を前身頃または後身頃の肩部を介して前身頃延長部の最下端縁に固着させて、前身頃延長部の最下端縁に設けた前身頃裾補強ベルト両端に袖ぐり部補強ベルト両端の一対の連結金具を設けたことを特徴とする。    
【００１３】
又前記抱っこ用上着は、さらに、前記前身頃延長部１４の最下端縁２４に設けたＤ管金具１２、１２に２本のおんぶ用補助ベルト１８のそれぞれの一端に有する連結金具１９Ａを連結し、それぞれのおんぶ用補助ベルト１８を肩用Ｄ管金具１１を介して胸部前面で交差するようにそれぞれのおんぶ用補助ベルト１８の他端１９Ｂ同士を連結させて乳幼児をおんぶすることもできるようにしたことを特徴とする。                                
【発明の効果】
【００１４】
上記連結手段はＤ管金具を使用した場合を例示したがＤ管金具に限らず、ループ状の固定部材を用いてもよい。例えば、布、革、合成樹脂等を用いてもよい。
【００１５】
請求項１記載の発明によれば、横抱っこや縦抱っこができ荷物にならない抱っこ用上着で前身頃下方位置に一対の穴を形成し幼児の足を入れることで安定した抱っこができる事を提供できる。
【００１６】
請求項２記載の発明によれば、前記前身頃最下端縁２４を折り返して袋状に形成した両側の開口端を開閉自在としたことにより乳幼児を横抱っこした時、滑り落ちないようにし、延長部１４にネット素材などの生地を張りポケットとして使用することができる。
【００１７】
請求項３、４記載の発明によれば、前身頃延長部１４の最下端縁２４に設けた一対のＤ管金具１２、１２と前身頃１または後身頃２の肩部２３に設けたそれぞれ一対の肩用Ｄ管金具１１とを２本の抱っこ用補助ベルト１５のそれぞれの引掛け金具１６Ａおよび１６Ｂで連結する事で、抱っこの際に手に負担がかかるのを軽減することができる。
【００１８】
請求項５記載の発明によれば、乳幼児の体重を分散できるため通気性や耐久性のある生地などのどんな生地の上着であっても上着の生地が損傷せず横抱っこ、縦抱っこができ、乳幼児の縦抱っこは動いても落下しないように着用者と密着することができる。
【００１９】
又  乳幼児を抱っこした状態で２本のおんぶ補助用ベルト１８によりおんぶができる。
【発明を実施するための最良の形態】
【００２０】
本発明の実施形態を図面に基づいて以下、説明する。
【００２１】
図１から図６において、本発明の実施形態の上着として袖のない通気性、耐久性のある生地でできたベストを図示しているが、カーディガンのような袖のある上着でもよい。ネット素材であれば、上着として身に付けて移動し、よちよち歩いている時、ベビーカーに乗っている時などに泣き出してもすぐにそのまま抱っこでき夏でも涼しく使用できる。この上着における前身頃１と後身頃２とは肩部でつながっており、前身頃１と後身頃２とはその両脇に設けたファスナー１３の開閉操作にて接離可能にして脱ぎ着が簡単にできる。この場合、ファスナー１３を途中まで開けて使用することにより抱っこスペースを大きくとることができるが、前身頃１と後身頃２とが分離しない構成のベストなどの上着であってもよい。又抱っこする身頃部にもう１枚の前身頃を設ける事により冷房対策  春  秋の肌寒い時期の寒さ対策も可能である。
【００２２】
前身頃１の下方位置で後身頃２の下端縁２６と同じ位置にある下端縁２５よりも延長させた最下端縁２４が形成されており、下端縁２５の上方に乳幼児の足を入れる前身頃１の丈の裾に相当する最下端縁２４と平行に左右一対の穴７が形成されている。この最下端縁２４において、乳幼児のお尻を包み込む厚み分を加えた前身頃延長部１４の最下端縁２４を後身頃２の丈に合わせ外側に折り返して前身頃１の一部を重ねる。折り返した前身頃延長部１４の部分は乳幼児を収容できるとともにポケットなどに利用することができる。
【００２３】
次に、最下端縁２４を折り返して袋状に保持する手段について、説明する。
【００２４】
前身頃１の最下端縁２４には一対のＤ管金具１２が設けられており、前身頃１および後身頃２の肩部２３にも一対の肩用Ｄ管金具１１が設けられている。図９に示す付属の２本の抱っこ用補助ベルト１５のそれぞれの引掛け金具１６Ａおよび１６ＢをＤ管金具１２および肩用Ｄ管金具１１に連結する構成により最下端縁２４を折り返して袋状に保持する手段としている。乳幼児の縦抱っこは動いても落下しないように着用者と密着するように横抱っこ時の抱っこ用補助ベルト１５の長さを長さ調整金具１７にて短く調整して固定する。
【００２５】
また、本発明の実施形態では、図２において、前身頃１および後身頃２の肩部２３で縫い合わせ、身頃脇下にあるファスナー１３を全開することにより脱ぎ着しやすい。身頃脇下にあるファスナー１３を途中まで開けて使用することにより抱っこスペースを大きくとることが可能である。この場合、抱っこ用上着が乳幼児の体重で下に下がらないように体重を分散させ、おんぶができるようにした構成のベストを抱っこ用上着とした実施形態について、以下説明する。
【００２６】
後身頃２の下方位置で両端に互いに連結可能な連結金具１０Ａ、１０Ｂを有する腰部補強ベルト４を横一文字に配置させかつ両端に連結金具８Ａ、８Ｂを有する袖ぐり部補強ベルト３を腰部補強ベルト４よりも上方位置に横一文字に配置させ、垂直補強ベルト６の一端を腰部補強ベルト４に縫い合わせて固着し、他端を前身頃１および後身頃２の肩部の一対の肩用Ｄ管金具１１を介して前身頃１の最下端縁２４に同様に縫い合わせて固着させて、前身頃１の最下端縁２４に縫い合わせて固着した前身頃裾補強ベルト５の両端に連結金具９Ａ、９Ｂを設け、上記連結金具８Ａ、８Ｂと連結可能な連結金具９Ａ、９Ｂを袖ぐり部補強ベルト３の両端に設けて、前身頃１の最下端縁２４に設けた一対のＤ管金具１２、１２と前身頃１および後身頃２の肩部に設けたそれぞれ一対の肩用Ｄ管金具１１とを２本の抱っこ用補助ベルト１５のそれぞれの引掛け金具１６Ａおよび１６Ｂで後身頃２それぞれの肩部２３に肩用Ｄ管金具１１が設けられている。また、後身頃２の腰部分で腰部補強ベルト４の両端１０Ａ、１０Ｂを連結固定して乳幼児の横抱っこ（図５）や縦抱っこ（図６）の際前身頃１に体重がかかっても前身頃１のずり落ちを防止する。
【００２７】
さらに、乳幼児を横抱っこした時、滑り落ちないようにする構成について図５に基づいて以下、説明する。
【００２８】
抱っこ用上着の身頃脇下に位置したファスナー１３の前身頃１の両脇に紐２２を通し、その紐２２で絞り、丸みを作り、その丸みを保つ紐どめ金具２１をつける。このように、前身頃１の両脇に紐２２を通し、その紐２２を絞り、丸みを作ることにより、最下端縁２４を折り返して袋状を形成した両側の開口端を開閉自在として、乳幼児を横抱っこした時、滑り落ちないようにする。また、最下端縁２４を折り返した袋状の部分を乳幼児に必要なおしゃぶり、ハンカチやおもちゃなどを入れるポケットとして使用すれば便利である。さらには、前身頃１後身頃２の内側全体にネットを張り無数のポケットを作り冬はカイロ、夏は保冷材などを入れて使用することもできる便利な抱っこ用上着を提供するものである。
【００２９】
次に、付属の２本のおんぶ用補助ベルト１８を用いておんぶをする抱っこ用上着について、図７および図８に基づいて以下、説明する。
【００３０】
前身頃１の最下端縁２４に設けたＤ管金具１２に図１０に示す２本のおんぶ用補助ベルト１８のそれぞれの一端に有する連結金具１９Ａを連結し、それぞれのおんぶ用補助ベルト１８を肩用Ｄ管金具１１を介して胸部前面で交差するようにそれぞれのおんぶ用補助ベルト１８の他端１９Ｂ同士を連結させて乳幼児をおんぶすることができるようにした抱っこ用上着である。すなわち、抱っこ用上着で抱っこした状態で、着用者が後ろ向きに１８０度回転し背中に乳幼児を乗せおんぶする。着用者１人で使用の場合は幼児を台上に乗せて着用者が後ろ向きに１８０度回転し背中に乳幼児を乗せおんぶする。おんぶ用補助用ベルト１８の連結金具１９Ａを前身頃延長部の最下端縁２４に設けたＤ管金具１２に引掛ける。次に、おんぶ補助用ベルト１８を肩用Ｄ管金具１１に通して胸部位置で交差させ腰部分に回しておんぶ用補助ベルト１８の他端１９Ｂ同士を連結させる。さらに、腰部分で腰部補強ベルト４の両端１０Ａ、１０Ｂを連結して固定しおんぶする。
【００３１】
なお、付属の２本の抱っこ用補助ベルト１５およびおんぶ時用補助用ベルト１８は何れも長さを調整自在な長さ調整金具１７および２０が設けられており、上記最下端縁２４を折り返した延長部分１４に収容できる。
【００３２】
このようにして、本発明の抱っこ用上着は、図２に示す前身頃１と後身頃２とを連結させて、図５に示す乳幼児の横抱っこや図６に示す乳幼児の縦抱っこや図７に示す乳幼児のおんぶをすることができるので、乳幼児との外出時は手荷物が多い上、不使用時は荷物になっていた従来の抱っこ紐を身に着けて携帯する抱っこ用上着であり、横抱っこ、縦抱っこおよびおんぶという３種類の用途がある抱っこ用上着を提供している。特に、前身頃１と後身頃２との両端に設けたファスナー１３にて接離可能にすることにより、簡単に開閉でき、簡単に脱ぎ着でき、外出時荷物にならず体に着けて移動でき、必要時は乳幼児を抱き上げた状態ですぐに使用できる
【図面の簡単な説明】
【００３３】
【図１】本発明の実施形態を示す全体図である。
【図２】本発明の前身頃と後身頃とを連結した展開図である。
【図３】本発明の前方からみた状態を示す正面図である。
【図４】本発明の後方からみた状態を示す正面図である。
【図５】本発明の横抱っこ状態を示す図である。
【図６】本発明の縦抱っこ状態を示す図である。
【図７】本発明のおんぶした状態を示す図である
【図８】本発明のおんぶ時補助ベルトの前面図である。
【図９】本発明の横抱っこ兼縦抱っこ用補助ベルトの平面図である。
【図１０】本発明のおんぶ時用補助用ベルトの平面図である。
【符号の説明】
【００３４】
１    前身頃
２    後身頃
３    袖ぐり部分補強ベルト
４    腰部分補強ベルト
５    前身頃裾補強ベルト
６    垂直補強ベルト
７    穴
８Ａ、８Ｂ  連結金具
９Ａ、９Ｂ  連結金具
１０Ａ、１０Ｂ  連結金具
１１  肩用Ｄ管金具     
１２  前身頃裾用Ｄ管金具      
１３  ファスナー
１４  延長部
１５  抱っこ用補助ベルト
１６Ａ  １６Ｂ  引掛け金具
１７  長さ調整金具
１８  おんぶ用補助ベルト
１９Ａ、１９Ｂ  引掛け金具
２０  長さ調整金具
２１  紐どめ金具
２２  紐
２３  肩部
２４  最下端縁
２５  前身頃下端縁
２６  後身頃下端縁
【図１】
0004809391.tif 000002
【図３】
0004809391.tif 000003
【図４】
0004809391.tif 000004
【図８】
0004809391.tif 000005
【図２】
0004809391.tif 000006
【図５】
0004809391.tif 000007
【図６】
0004809391.tif 000008
【図７】
0004809391.tif 000009
【図９】
0004809391.tif 000010
【図１０】
0004809391.tif 000011